(57)【要約】【課題】テープの使用によるテープ巻回体の巻厚の変化に対応でき、安価に製造でき小型化し易いテープカッターを提供する。【解決手段】円筒状の芯３の外周にテープ４が巻き回されたテープ巻回体２に取付可能であり、巻き回されたテープ４を所定の長さに切断するためのテープカッター１１である。このテープカッター１１は、テープ巻回体２に取り付けられた取付状態において、テープ４の外側面に接触可能なテープ抑え部１２を具備する。また、テープ巻回体２に取り付けられた取付状態において、テープ４の内側面に接触可能なテープ受け部１３を具備する。さらに、テープ４を切断するカッター部１７を具備する。【選択図】図２
2015030585.tif 000002
【特許請求の範囲】
【請求項１】
円筒状の芯の外周にテープが巻き回されたテープ巻回体に取付可能であり、前記テープ巻回体に巻き回されたテープを所定の長さに切断するためのテープカッターであって、
前記テープ巻回体に取り付けられた取付状態において、
前記テープの外側面に接触可能なテープ抑え部と、
前記テープの内側面に接触可能なテープ受け部と、
前記テープを切断するカッター部と
を具備したことを特徴とするテープカッター。
【請求項２】
取付状態において、テープ巻回方向に直交するテープの幅方向の両端に配置される壁部を具備し、
テープ受け部は、前記壁部に回転可能に取り付けられた
ことを特徴とする請求項１記載のテープカッター。
【請求項３】
テープ抑え部は、取付状態において、テープ受け部よりテープ巻回方向の先端側に配置される先端側抑え部と、テープ受け部よりテープ巻回方向の基端側に配置される基端側抑え部とを有し、
カッター部は、前記先端側抑え部に連設された
ことを特徴とする請求項１または２記載のテープカッター。
【請求項４】
基端側抑え部は、一部が切り欠かれた切欠部を有する
ことを特徴とする請求項３記載のテープカッター。
【請求項５】
テープ受け部は、取付状態において、テープの内周面に接触可能な複数の受け軸を有する
ことを特徴とする請求項１乃至４いずれか記載のテープカッター。
【請求項６】
少なくともテープ受け部を覆うカバー体を具備した
ことを特徴とする請求項１乃至５いずれか記載のテープカッター。
【請求項７】
テープ抑え部は、カバー体に設けられた
ことを特徴とする請求項６記載のテープカッター。
【発明の詳細な説明】
【技術分野】
【０００１】
本発明は、円筒状の芯の外周にテープを巻き回したテープ巻回体に取付可能であり、巻き回されたテープを所定の長さに切断するためのテープカッターに関する。
【背景技術】
【０００２】
従来から、テープ巻回体に取り付けられてテープを所定の長さに切断するテープカッターとしては、粘着テープなどのテープを切断するカッター部と、粘着テープが巻き回されたテープ巻回体を把持する把持部とを有する構成のものが知られている。
【０００３】
このような構成のテープカッターは、テープ巻回体を把持しながらその外周を移動させた後、テープが、テープ巻回体の外周面から剥離されながら所望の長さに繰り出されて、カッター部にて切断されるものである。
【０００４】
そして、簡単な構成で製造し易く、安価でありかつ小型であるため、広く用いられており、安価でありかつ小型であることが前提条件となる。
【０００５】
この種のテープカッターとしては、テープ巻回体におけるテープの巻回方向とは直交する方向であるテープの幅方向の両端に互いに対向する側面部と、各側面部からそれぞれ略垂直に設けられテープ巻回体の芯の内周面に対向する底面部とを有し、側面部および底面部によりテープ巻回体を把持する構成のものが知られている（例えば、特許文献１参照。）。
【０００６】
このような構成のテープカッターによれば、テープの使用に伴ってテープ巻回体の巻厚が薄くなっても、側面部の高さや底面部の位置を調整できないため、テープカッターとテープ巻回体との間に隙間ができ、テープカッターがテープ巻回体に対して遊嵌状態になり、テープ巻回体に対するテープカッターの固定性が低下してしまう。
【０００７】
そのため、テープカッターがテープ巻回体の巻回方向や巻厚方向に自由に移動し易い状態になってしまい、テープを切断する際には、利用者によって、テープ巻回体の外周から内周へ向かって押圧力を加えてテープカッターをテープ巻回体に押し当てることによって固定する必要があるため、使い勝手が悪く、テープ巻回体の巻厚の変化に対応しにくい。
【０００８】
また、テープ巻回体の側面に沿って配置される挟持体と、カッター部とを備え、予めテープ巻回体に固定されない構成のテープカッターも知られている（例えば、特許文献２参照。）。
【０００９】
このような構成のテープカッターによれば、テープを切断する際に利用者がテープ巻回体の外周面上に押え付けて、カッター部をテープの外周面上に接触させた状態にてテープを引き上げることにより、テープを切断するため、テープ巻回体の巻厚に関わらず、常にテープ巻回体に対してテープカッターが遊嵌状態である。
【００１０】
また、特許文献２の図４乃至図７に示される実施例では、挟持体の先端部がテープ巻回体の芯の内周面と対向するように配置され、テープ巻回体に固定可能に構成されているが、上記特許文献１と同様に、テープの使用に伴ってテープ巻回体の巻厚が薄くなると、テープ巻回体に対してテープカッターが遊嵌状態になってしまい、テープ巻回体の巻厚の変化に対応しにくい。
【００１１】
そこで、テープの使用によるテープ巻回体の巻厚の変化に伴って遊嵌状態にならないテープカッターとしては、テープ巻回体の外周面に接するカッター本体と、芯の内周面に接するガイドローラーとを備え、カッター本体を支持する支持部材と、ガイドローラーを支持する支持部材とがねじりばねを介して接続されており、このねじりばねの付勢力によってカッター本体とガイドローラーとでテープ巻回体の外周面と内周面とから把持する構成のものが知られている（例えば、特許文献３参照。）。
【先行技術文献】
【特許文献】
【００１２】
【特許文献１】実開昭５０−７１３８３号公報
【特許文献２】特開２００１−１０６４２０号公報
【特許文献３】実開平２−２８８６５号公報
【発明の概要】
【発明が解決しようとする課題】
【００１３】
上述の特許文献３のテープカッターは、ねじりばねの付勢力によりカッター本体とガイドローラーとの位置関係が調整されてテープの使用による巻厚の変化に対応できるが、例えば特許文献１や特許文献２のような構成のテープカッターに比べて、多くの部品が必要であり、構成が複雑化している。そのため、安価に製造できず、また、小型化しにくい。
【００１４】
したがって、テープの使用によるテープ巻回体の巻厚の変化に対応でき、安価であり小型化し易いテープカッターが求められていた。
【００１５】
本発明はこのような点に鑑みなされたもので、テープの使用によるテープ巻回体の巻厚の変化に対応でき、安価に製造でき小型化し易いテープカッターを提供することを目的とする。
【課題を解決するための手段】
【００１６】
本発明は、円筒状の芯の外周にテープが巻き回されたテープ巻回体に取付可能であり、前記テープ巻回体に巻き回されたテープを所定の長さに切断するためのテープカッターであって、前記テープ巻回体に取り付けられた取付状態において、前記テープの外側面に接触可能なテープ抑え部と、前記テープの内側面に接触可能なテープ受け部と、前記テープを切断するカッター部とを具備したものである。
【発明の効果】
【００１７】
本発明によれば、テープ巻回体に取り付けられた状態において、テープ抑え部にてテープの外周面を抑え、テープ受け部にてテープの内周面を受ける構成であるため、テープの使用によるテープ巻回体の巻厚の変化に対応できる。また、簡単な構成であるため、安価であり小型化し易い。
【図面の簡単な説明】
【００１８】
【図１】本発明の前提技術に係るテープカッターを示す斜視図である。
【図２】本発明の第１の実施の形態に係るテープカッターの構成を示す斜視図である。
【図３】同上テープカッターを示す平面図である。
【図４】本発明の第２の実施の形態に係るテープカッターの構成を示す平面図である。
【図５】本発明の第３の実施の形態に係るテープカッターの構成を示す斜視図である。
【発明を実施するための形態】
【００１９】
まず、本発明の前提技術について図１を参照しながら説明する。
【００２０】
図１において、１はテープカッターを示し、このテープカッター１は、テープ巻回体２に取付可能である。
【００２１】
テープ巻回体２は、円筒状の芯３を備え、この芯３の外周に、例えば内周面に粘着性を有する粘着テープや、内周面に粘着性を有さないリボンなどのテープ４が巻き回されている。
【００２２】
テープカッター１は、テープ巻回体２に取り付けられた状態にて、テープ巻回体２から引き出されたテープ４を所定の長さに切断するためのものである。
【００２３】
このようなテープカッター１は、例えば合成樹脂などにて形成されている。
【００２４】
また、テープカッター１は、テープ４が挿通可能なスリット状のテープ引出部５を有する。
【００２５】
そして、テープカッター１がテープ巻回体２に取り付けられた状態において、テープ４は、テープ引出部５を通って引き出される。
【００２６】
テープ引出部５よりテープ巻回方向の先端側には、テープ引出部５から引き出されたテープ４を案内するガイド部６が設けられている。このガイド部６は上面が平坦であり、テープ引出部５から引き出されたテープ４は、ガイド部６に沿って引き出されている。
【００２７】
また、このガイド部６の先端部には、テープ４を切断するカッター部７が設けられ、ガイド部６のカッター部７とは反対側には、ガイド部６と対称に成形された支持部１０が設けられている。
【００２８】
そして、テープ引出部５から引き出されたテープ４は、内周面がガイド部６に接触した状態にてカッター部７で切断される。なお、テープ４が粘着テープである場合には、そのままテープ４の内周面がガイド部６に粘着して貼り付いた状態になる。
【００２９】
ガイド部６のテープ巻回方向に直交する方向の両端部、すなわちテープ４の幅方向の両端部に対応する位置には、ガイド部６に対して略垂直な側壁部８が設けられている。
【００３０】
そして、側壁部８は、テープカッター１がテープ巻回体２に取り付けられた状態において、テープ４の幅方向の両端部すなわちテープ巻回体２の両側面に沿うように配置される。
【００３１】
また、側壁部８には、テープ引出部５に連通したスリット状のテープ取付孔９が設けられている。
【００３２】
テープ取付孔９にはテープ４が挿通可能であり、テープ４は、テープ取付孔９を通してテープ引出部５に挿通される。すなわち、テープカッター１をテープ巻回体２に取り付ける際には、テープ巻回体２からテープ４の一部をめくるように取り出し、この取り出されたテープ４をテープ取付孔９からテープ引出部５に挿通する。
【００３３】
そして、テープカッター１から引き出したテープ４をカッター部７に押し付けて切断する際に、テープ引出部５を基準にガイド部６およびカッター部７とは反対側に位置する支持部１０を利用者が抑えることにより、テープ巻回体２に取り付けられたテープカッター１のバランスを保持でき、テープを安定した状態で切断できる。
【００３４】
上述のテープカッター１によれば、簡単な構成であるため、安価に製造し易く、小型化し易い。
【００３５】
しかしながら、テープ４として粘着テープを用いて、引き出されたテープ４の内側面をガイド部６に貼り付けた状態にしなければ、テープカッター１をテープ巻回体２に取り付けた状態を保持できない。すなわち、テープ４として内面側に粘着性を有さないものを用いると、テープ巻回体２の巻厚に関わらず、テープ巻回体２に対してテープカッター１を固定できず、テープカッター１が遊嵌状態になってしまう。
【００３６】
また、テープ４として粘着テープを用いた場合には、テープ４の粘着力によりテープ巻回体２に対してテープカッター１を固定できるが、カッター部７でテープ４を切断すると、テープ引出部５から引き出されたテープ４の内周面が全てガイド部６に貼り付いた状態となる。そのため、再度テープ４を引き出す際に、テープ４を摘みにくく、使い勝手が悪い。
【００３７】
以下、本発明の第１の実施の形態の構成について、図２および図３を参照しながら説明する。
【００３８】
図２および図３において、１１はテープカッターを示す。このテープカッター１１は、上記前提技術のテープカッター１と同様に、テープ巻回体２に取付可能である。
【００３９】
テープ巻回体２は、円筒状の芯３を備え、この芯３の外周に、例えば内周面に粘着性を有する粘着テープや内周面に粘着性を有さないリボンなどのテープ４が巻き回されている。
【００４０】
テープカッター１１は、テープ巻回体２に巻き回されたテープ４を所定の長さに切断するためのもので、例えば合成樹脂などにて形成されている。
【００４１】
このようなテープカッター１１は、テープ巻回体２に取り付けられた状態において、テープ４の外周面に接触可能なテープ抑え部１２を備えている。
【００４２】
また、テープカッター１１は、テープ巻回体２に取り付けられた取付状態において、テープ４の内周面に接触可能な軸状のテープ受け部１３を備えている。
【００４３】
さらに、テープカッター１１は、テープ巻回体２に取り付けられた状態において、テープ巻回方向に直交する方向であるテープ４の幅方向の両端に配置される壁部１４を備えている。すなわち、壁部１４間にテープ抑え部１２およびテープ受け部１３が設けられ、テープカッター１１がテープ巻回体２に取り付けられた状態において、壁部１４は、テープ巻回体２の側面に対向するように配置される。
【００４４】
テープ抑え部１２は、テープカッター１１がテープ巻回体２に取り付けられた状態において、テープ受け部１３よりテープ巻回方向の先端側すなわちテープ４の自由端４ａ側に配置される先端側抑え部１５と、テープ受け部１３よりテープ巻回方向の基端側に配置される基端側抑え部１６とを有する。すなわち、テープ抑え部１２は、テープカッター１１において、テープ受け部１３を中心にテープ巻回方向の両端部に配置されている。
【００４５】
先端側抑え部１５は、矩形板状であり、長手方向の両端部が壁部１４に一体に接続されている。また、先端側抑え部１５は、テープカッター１１がテープ巻回体２に取り付けられた状態にて下端部となる幅方向の一端部が、テープ巻回体２に巻き回されたテープ４の外周面に接触する。なお、先端側抑え部１５は、テープカッター１１がテープ巻回体２に取り付けられた状態にて、常時、テープ４の外側面に接触している必要はなく、例えば、テープ４を切断する際に接触させる構成などにしてもよい。また、先端側抑え部１５は、矩形板状でなくてもよく、例えば三角柱状、多角柱状、円柱状などにて適宜設計できる。
【００４６】
この先端側抑え部１５には、テープ４を切断するカッター部１７が設けられている。具体的には、カッター部１７は、壁部１４間において、テープ巻回方向における先端側抑え部１５の先端側面から突出するように、先端側抑え部１５と一体に連設されている。
【００４７】
このカッター部１７は、テープ４を切断可能な構成であればよく、例えば先端側抑え部１５の端部を鋸状や刃状に成形した構成や、先端側抑え部１５に着脱可能な構成などにしてもよい。
【００４８】
基端側抑え部１６は、中央部が切り欠かれた切欠部１８を有する。すなわち、基端側抑え部１６は、両側の壁部１４からそれぞれ突出した突出片１９と、これら突出片１９間に位置する空間である切欠部１８とから構成され、突出片１９の下端部がテープ４に接触可能である。
【００４９】
壁部１４は、矩形板状であり、長手方向の一端部に先端側抑え部１５が配置され、他端部に基端側抑え部１６が配置される。また、壁部１４における先端側抑え部１５と基端側抑え部１６との間には、テープ受け部１３を回転可能に軸支するための溝部２１が設けられている。
【００５０】
また、壁部１４におけるテープ巻回体２の側面に対向する面とは反対側の外側面には、滑り止め用の複数の突起部２２が設けられている。
【００５１】
次に、上記第１の実施の形態の動作および作用を説明する。
【００５２】
テープカッター１１をテープ巻回体２に取り付ける際には、テープ巻回体２に巻き回されたテープ４のテープ巻回方向の先端側である自由端４ａ側をテープ巻回体２から引き出す。
【００５３】
この引き出したテープ４の自由端４ａ側を切欠部１８に挿入して、基端側抑え部１６とテープ受け部１３との間に下側からテープ４を挿通させる。
【００５４】
また、テープ４の内周面がテープ受け部１３に接触するように、テープ受け部１３と先端側抑え部１５との間にテープ４の自由端４ａを上側から挿入してテープ４の自由端４ａ側を挿通させる。
【００５５】
このテープ４の自由端４ａ側をテープ巻回体２の外周面に当接させて、テープカッター１１がテープ巻回体２に取り付けられた状態となる。
【００５６】
なお、このテープカッター１１がテープ巻回体２に取り付けられた状態では、テープ４の外周面側である上側にテープ抑え部１２が位置し、テープ４の内周面側である下側にテープ受け部１３が位置した状態となる。
【００５７】
そして、このようにテープカッター１１がテープ巻回体２に取り付けられた状態では、テープ抑え部１２がテープ４を上側から抑えるとともに、テープ受け部１３がテープ４を下側から受けることにより、テープ抑え部１２とテープ受け部１３とからテープ４にそれぞれ異なる方向の力が作用して張力が発生する。つまり、テープ４におけるテープ抑え部１２に抑えられた箇所とテープ受け部１３に受けられた箇所との間で張力が発生する。このテープ４の張力によってテープ受け部１３がテープ巻回体２側へ抑えられた状態となり、テープカッター１１がテープ４によってテープ巻回体２側へ抑えられるように固定される。すなわち、テープ巻回体２に巻き回されたテープ４とテープカッター１１との関係によって、テープカッター１１がテープ巻回体２に取り付けられた状態が保持される。
【００５８】
また、テープ４を所定の長さで切断する際には、テープカッター１１がテープ巻回体２に取り付けられた状態にて、テープ巻回体２に対してテープカッター１１をテープ巻回体２の周方向に沿って摺動させるように移動させ、先端側抑え部１５の下側からテープ４を所定の長さで引き出して、この引き出したテープ４を上方へ引っ張るようにカッター部１７に押し付けて切断する。
【００５９】
そして、上記テープカッター１１によれば、テープ巻回体２に取り付けられた状態において、テープ抑え部１２にてテープ４の外周面を抑え、テープ受け部１３にてテープ４の内周面を受ける構成であるため、テープ抑え部１２およびテープ受け部１３によりテープ４に張力が発生する。そのため、例えば上記特許文献などのように挟持部や付勢手段などを用いなくても、テープ巻回体２に巻き回されたテープ４とテープカッター１１のテープ抑え部１２およびテープ受け部１３との位置関係によって、テープカッター１１がテープ巻回体２に取り付けられた状態を保持できる。したがって、テープ４の使用に伴ってテープ巻回体２の巻厚が薄くなっても、テープ巻回体２に対するテープカッター１１の固定状態を保持でき、テープ巻回体２の巻厚の変化に対応できる。
【００６０】
特に、テープ抑え部１２が先端側抑え部１５および基端側抑え部１６を有することにより、テープ受け部１３に対して、テープ巻回方向の両側から張力が発生するため、テープ巻回体２に対してテープカッター１１をより確実に固定できる。
【００６１】
また、このようにテープ４の張力によってテープカッター１１が保持されているため、テープ４を切断する際にも固定され易く切断し易い。
【００６２】
さらに、テープカッター１１は、テープ抑え部１２とテープ受け部１３とカッター部１７とを備え、上述のようにテープ巻回体２に巻き回されたテープ４とテープカッター１１のテープ抑え部１２およびテープ受け部１３との位置関係によってテープ巻回体２に取り付けられた状態を保持する簡単な構成であるため、安価に製造でき、小型化し易い。
【００６３】
また、テープカッター１１は、テープ巻回体２に取り付けた状態において、テープ巻回体２の側面に対向する壁部１４を備えたことにより、テープ４を切断するためにテープカッター１１をテープ巻回体２の周方向に移動させる際に、壁部１４によって移動方向がガイドされるため正確に移動させ易い。
【００６４】
ここで、粘着テープをテープ４として用いた場合には、テープ４がテープ巻回体２に粘着することで、この粘着箇所とテープ受け部１３との間で張力が発生する。したがって、テープ受け部１３により安定して張力が作用するため、テープ巻回体２にテープカッター１１を取り付けた状態をより確実に保持できる。
【００６５】
しかし、テープ４の粘着面である内周面がテープ受け部１３に粘着してしまうため、テープ４を切断する際に、テープカッター１１をテープ巻回体２の周方向に移動しにくくなってしまう。
【００６６】
そこで、テープ受け部１３が壁部１４に回転可能に取り付けられたことにより、テープ受け部１３にテープ４が粘着しても回転して繰り出すことができ、テープカッター１１をテープ巻回体２の周方向に沿って移動させ易い。なお、このようにテープ受け部１３が回転可能であると、粘着面を有さないテープ４であっても、テープカッター１１を移動させる際に、テープ受け部１３とテープ４の内周面との間で摩擦が生じにくいので、テープカッター１１を移動させ易い。
【００６７】
カッター部１７が、先端側抑え部１５に連設されたことにより、テープ４を切断する際に先端側抑え部１５にてテープ４を抑えながら切断し易く、テープ４を正確かつ安全に切断し易い。
【００６８】
ここで、特にテープ抑え部１２が先端側抑え部１５および基端側抑え部１６を有する構成の場合には、テープカッター１１をテープ巻回体２に取り付ける際に、テープ巻回体２に巻き回されたテープ４の一部を引き出し、引き出したテープ４の先端を、基端側抑え部１６とテープ受け部１３との間に下側から挿入するとともに、テープ受け部１３の上側（外周面）を通すように、テープ受け部１３と先端側抑え部１５との間に上側から挿入して、テープ受け部１３の上側にテープ４の一部が配置され、テープ抑え部１２の下側にテープ４の他の一部が配置された状態にする必要があり、非常に作業が煩雑である。
【００６９】
そこで、テープ抑え部１２のうちカッター部１７が設けられていない方である基端側抑え部１６が切欠部１８を有することにより、テープカッター１１をテープ巻回体２に取り付ける際には、テープ巻回体２から引き出したテープ４を撓ませながら幅方向にスライドさせるように切欠部１８を通過させ、テープ４の先端をテープ受け部１３と先端側抑え部１５との間に挿入するだけである。すなわち、テープ４の先端部である自由端４ａをテープ巻回方向に基端側抑え部１６とテープ受け部１３との間に潜らせるように挿入する作業を経ることなく、テープ４の一部が基端側抑え部１６の下側に配置された状態にできる。
【００７０】
なお、上記第１の実施の形態では、テープ抑え部１２が先端側抑え部１５と基端側抑え部１６とを有する構成としたが、このような構成には限定されない。すなわち、テープカッター１１がテープ巻回体２に取り付けられた状態において、テープ４の外周面に接触可能なテープ抑え部１２を備えた構成であればよく、例えば先端側抑え部１５のみが設けられた構成などにしてもよい。
【００７１】
テープ抑え部１２として先端側抑え部１５のみが設けられた構成では、テープ４における先端側抑え部１５に抑えられた箇所とテープ受け部１３に受けられた箇所との間で張力が発生して、テープ受け部１３がテープ巻回体２側へ抑えられた状態となり、テープカッター１１がテープ巻回体２に取り付けられた状態が保持される。
【００７２】
また、テープ抑え部１２がテープカッター１１において、テープ巻回方向の端部に配置された構成としたが、このような構成には限定されず、テープカッター１１がテープ巻回体２に取り付けられた状態において、テープ抑え部１２がテープ４の外周面に接触可能であれば、テープカッター１１におけるテープ抑え部１２の配置は適宜設計可能である。
【００７３】
カッター部１７は、先端側抑え部１５に連接された構成としたが、このような構成には限定されず、テープカッター１１から引き出したテープ４をカッター部１７にて切断できる構成でれば、テープカッター１１におけるカッター部１７の配置は適宜設計可能である。
【００７４】
テープカッター１１は、壁部１４を備え、テープ受け部１３が壁部１４に回転可能に取り付けられた構成としたが、このような構成には限定されず、例えば、テープ受け部１３が回転しない構成などにしてもよい。
【００７５】
基端側抑え部１６の中央部に切欠部１８が設けられた構成としたが、このような構成には限定されず、例えば基端側抑え部１６に切欠部１８が設けられていない構成などにしてもよい。
【００７６】
また、基端側抑え部１６に切欠部１８が設けられた構成の場合には、基端側抑え部１６の中央に切欠部１８が設けられた構成には限定されず、切欠部１８の形状や、基端側抑え部１６における切欠部１８の配置は適宜設計できる。
【００７７】
次に、第２の実施の形態を図４を参照して説明する。なお、上記第１の実施の形態と同一の構成及び作用については、同一符号を付してその説明を省略する。
【００７８】
第２の実施の形態では、図４に示すように、壁部１４間においてテープ巻回方向に直交する方向であるテープ４の幅方向に摺動可能な板状の間隔調整部材３１が設けられている。
【００７９】
この間隔調整部材３１は、挿通孔３２が設けられており、この挿通孔３２にテープ受け部１３が挿通されることにより、テープ抑え部１２およびテープ受け部１３に沿って摺動可能に取り付けられている。
【００８０】
なお、間隔調整部材３１が取り付けられた状態では、間隔調整部材３１の一部が先端側抑え部１５の上端部および基端側抑え部１６の上端部に接触している。
【００８１】
ここで、テープカッター１１の壁部１４の間隔がテープ４の幅より大きいと、テープカッター１１からテープ４を引き出す際に、テープ巻回方向に沿ってテープカッター１１を移動させにくく、テープカッター１１に対するテープ４の位置がずれてしまいテープ４に皺が生じる可能性などが考えられ、使い勝手が悪化してしまう。
【００８２】
そこで、間隔調整部材３１が設けられた構成にすることにより、テープ巻回体２に巻き回されたテープ４の幅に応じて間隔調整部材３１を摺動できるので、テープ４が壁部１４間に収まるものであればいかなる幅のものであってもテープ巻回体２に対してテープカッター１１を適切な状態に取り付け易く使用し易い。
【００８３】
このように間隔調整部材３１が設けられた構成では、テープ巻回方向に直交する方向において間隔調整部材３１を位置決めし易いように、先端側抑え部１５の上端部および基端側抑え部１６の上端部に間隔調整部材３１が係合可能な図示しない複数の係合溝部が設けられた構成が好ましい。
【００８４】
次に、第３の実施の形態を図５を参照して説明する。なお、上記実施の形態と同一の構成及び作用については、同一符号を付してその説明を省略する。
【００８５】
第３の実施の形態では、テープ受け部４１が複数例えば２つの軸状の受け軸４２を有している。これら受け軸４２は、互いに離間した状態で壁部１４に回転可能に取り付けられている。また、壁部１４間には、受け軸４２の他に、両側の壁部１４の離間距離を決定して組付状態を安定させるための壁離間決定部５０が設けられている。
【００８６】
そして、テープ巻回体２にテープカッター１１が取り付けられた状態においては、受け軸４２がテープ４の内周面に接触可能であるとともに、壁離間決定部５０にはテープ４の内周面が接触しない。
【００８７】
なお、テープカッター１１は、壁部１４を備え、複数例えば２つの軸状の受け軸４２が壁部１４に回転可能に取り付けられた構成としたが、このような構成には限定されず、例えば、一部の受け軸４２のみが回転可能な構成や、全ての受け軸４２が回転しない構成などにしてもよい。
【００８８】
ここで、例えば上記各実施の形態にてテープ４として粘着テープを用い、テープ受け部１３へのテープ４による張力が弱い場合や、テープ４がより強力にテープ受け部１３に粘着した場合には、テープカッター１１を移動させると、テープ４がテープ受け部１３に粘着して貼り付いたまま剥がれることなくテープ受け部１３が回転してしまい、テープ４がテープ受け部１３に巻き込まれてしまう可能性がある。
【００８９】
そこで、テープ受け部４１が、互いに離間した複数の受け軸４２を有することにより、各受け軸４２におけるテープ４との接触面積が小さくなるため、受け軸４２にテープ４が貼り付きにくく、テープカッター１１を適切に移動でき、テープ４を引き出し易い。
【００９０】
なお、受け軸４２の数や受け軸４２同士の離間距離は適宜決定できるが、受け軸４２同士の離間距離が長い方がテープ４が貼り付きにくくなるので好ましい。
【００９１】
特に、図５に示すように、壁離間決定部５０が受け軸４２よりも内周側すなわちテープ巻回体２の径方向の内側に位置した構成の場合には、壁離間決定部５０がテープ４の内周面に接触しないように受け軸４２および壁離間決定部５０が配置されることが好ましい。すなわち、テープ巻回方向の先端側に位置する受け軸４２の先端側の外周面と、テープ巻回方向の基端側に位置する受け軸４２の基端側の外周面とが、壁離間決定部５０におけるテープ巻回方向の両端面よりも水平方向の外側に位置するように、受け軸４２および壁離間決定部５０が配置されていると、テープ４が受け軸４２に粘着した状態でテープカッター１１を移動させた際にテープ４が壁離間決定部５０に粘着してしまうことを防止できるので好ましい。
【００９２】
テープカッター１１には、壁部１４に対して着脱可能なカバー体４３が設けられている。このカバー体４３は、壁部１４に取り付けられた装着状態において、上側となる上端に位置する天井面部４４と、この天井面部４４のテープ巻回方向の両端部から略垂直に設けられた側面部４５，４６と、天井面部４４のテープ巻回方向と直交する方向の両端部から垂直に設けられた側面部４７，４８とを有する有頭四角筒状である。
【００９３】
したがって、カバー体４３が壁部１４に取り付けられた装着状態では、テープ受け部１３が天井面部４４、側面部４５，４６，４７，４８にて覆われる。
【００９４】
そして、カバー体４３を装着した状態では、テープ受け部４１がカバー体４３で覆われているため、使用中にテープ受け部４１が破損しにくいとともに、汚れなどが付着しにくい。
【００９５】
また、このようなカバー体４３を備えた構成では、カバー体４３が装着されたテープカッター１１がテープ巻回体２に取り付けられた状態において、カバー体４３のテープ巻回方向の少なくとも一端部に位置する側面部４５，４６がテープ抑え部４９となる。すなわち、テープカッター１１がテープ巻回体２に取り付けられた状態では、側面部４５，４６の天井面部４４とは反対側の下端部がテープ４の外周面に接触する。
【００９６】
ここで、例えば上記第１の実施の形態では、テープ抑え部４９のうちカッター部１７が設けられていない基端側抑え部１６にのみ切欠部１８が設けられている。そして、カッター部１７が設けられた先端側抑え部１５に切欠部を設けるには、カッター部１７を切り欠かずに先端側抑え部１５にのみ切欠部を設ける構成か、カッター部１７および先端側抑え部１５の両方に切欠部を設ける構成が想定されるが、前者の場合には、上述した切欠部１８の機能が得られず、後者の場合には、カッター部１７によるテープ４の切断機能が低下してしまう。したがって、先端側抑え部１５の下側にテープ４を配置させるには、テープ受け部１３と先端側抑え部１５との間に上側からテープ４の自由端４ａを潜らせるように挿入する必要があり、装着作業が煩雑である可能性も考えられる。
【００９７】
そこで、カバー体４３の側面部４５，４６をテープ抑え部４９とすると、カバー体４３が装着されていない状態にて、例えば図５に示すようにテープ受け部１３の上側にテープ４を通し、カバー体４３を装着するだけで、テープ抑え部４９の下側にテープ４の外側面が配置され、テープ受け部１３の上側にテープ４の内側面が配置された状態となる。したがって、テープカッター１１をテープ巻回体２に取り付ける際に、テープ抑え部４９の下にテープ４を潜らせる必要がなく、テープカッター１１の取付作業を非常に容易できる。
【００９８】
このような構成では、カッター部１７をカバー体４３の側面部４５または側面部４６の下端部に設ければよく、カッター部１７が設けられた方をテープ巻回方向の先端側に位置するようにカバー体４３が装着される。なお、このようにカッター部１７は、側面部４５または側面部４６に設けられた構成に限定されず、側面部４５および側面部４６の両方に設けてもよい。
【００９９】
ここで、カバー体４３は、不意に壁部１４から外れて装着状態が解除されないように、側面部４７，４８間の長さが、壁部１４の外側面間の長さと略等しく形成され、装着状態にて、側面部４７，４８の内側面が壁部１４の外側面に当接して、摩擦力により装着状態が維持される構成にしてもよい。摩擦力をより強力にするために、側面部４７，４８間の内側面および壁部１４の外側面の少なくとも一方に、シボを設ける構成やゴムを貼り付ける構成などにしてもよい。
【０１００】
また、側面部４７，４８間の内側面に係合部を設け、壁部１４の外側面に係合部に係合可能な被係合部を設けて、係合部と被係合部とを係合することにより、装着状態を維持する構成などにしてもよい。
【符号の説明】
【０１０１】
２    テープ巻回体
３    芯
４    テープ
１１  テープカッター
１２  テープ抑え部
１３  テープ受け部
１４  壁部
１５  先端側抑え部
１６  基端側抑え部
１７  カッター部
１８  切欠部
４１  テープ受け部
４２  受け軸
４３  カバー体
４９  テープ抑え部
【図１】
2015030585.tif 000003
【図２】
2015030585.tif 000004
【図３】
2015030585.tif 000005
【図４】
2015030585.tif 000006
【図５】
2015030585.tif 000007